(57)【要約】【課題】外壁の断熱性能を高めることができる建物外壁の断熱装置を提供する。【解決手段】建物１０の外周部に設けられる複数の外壁構造体１１のうち、太陽光が当たる南面に設けられた外壁構造体１１ｃには、その屋外側に集熱パネル２８が設けられ、該集熱パネル２８と外壁構造体１１ｃとの間には集熱空間３０が形成されている。これにより、集熱空間３０の空気は集熱パネル２８を介して暖められる。一方、北面及び西面に設けられた外壁構造体１１ａ，１１ｂには、その屋外側に断熱パネル３３が設けられ、該断熱パネル３３と外壁構造体１１ａ，１１ｂとの間には断熱空間３６が形成されている。そして、集熱空間３０と断熱空間３６とは互いに連通されている。この場合、集熱空間３０で暖められた空気は断熱空間３６に供給される。そのため、例えば冬場においては、外壁構造体１１ａ，１１ｂの断熱性能を高めることができる。【選択図】      図１
2013002066.tif 000002
【特許請求の範囲】
【請求項１】
建物の外周部に設けられる複数の外壁のうち、太陽光が当たる所定の方角に設けられた第１外壁には、その屋外側に集熱パネルが設けられ、該集熱パネルと当該第１外壁との間には集熱空間が形成されており、
前記所定の方角とは異なる方角に設けられた第２外壁には、その屋外側に断熱パネルが設けられ、該断熱パネルと当該第２外壁との間には断熱空間が形成されており、
前記集熱空間と前記断熱空間とは互いに連通されていることを特徴とする建物外壁の断熱装置。
【請求項２】
前記第２外壁と前記断熱パネルとの間に前記断熱空間を蓄熱空間とする気密囲い部が設けられていることを特徴とする請求項１に記載の建物外壁の断熱装置。
【請求項３】
前記集熱空間と前記断熱空間との連通を遮断する遮断手段を備えることを特徴とする請求項１又は２に記載の建物外壁の断熱装置。
【請求項４】
前記建物には、浴室及び脱衣室が、前記第２外壁を隔てて前記断熱空間と隣接して設けられていることを特徴とする請求項１乃至３のいずれか一項に記載の建物外壁の断熱装置。
【請求項５】
前記断熱空間を、該断熱空間に前記第２外壁を隔てて隣接する屋内空間と連通させる給気通路を備えることを特徴とする請求項１乃至４のいずれか一項に記載の建物外壁の断熱装置。
【請求項６】
前記給気通路を開閉する通路開閉部材と、
前記屋内空間の温度を検知する屋内温度検知手段と、
前記断熱空間の温度を検知する断熱空間温度検知手段と、
前記断熱空間の温度が前記屋内空間の温度よりも高いことを条件として、前記給気通路を開くよう前記通路開閉部材を制御する開閉制御手段と、
を備えることを特徴とする請求項５に記載の建物外壁の断熱装置。
【発明の詳細な説明】
【技術分野】
【０００１】
本発明は、建物外壁の断熱装置に関する。
【背景技術】
【０００２】
従来より、太陽光の熱を利用して建物内空間の空気を暖める技術が各種提案されている。例えば特許文献１に記載されている構成では、建物の外壁の屋外側に鋼板等の集熱板が設けられ、外壁と集熱板との間に空気層が形成されている。この空気層は、建物において当該外壁に隣接して設けられた居室と通気ダクトを介して連通されている。この構成によれば、空気層の空気が集熱板を介して太陽光により暖められ、その暖められた空気が暖気として居室に供給される。これにより、例えば冬期において太陽光からの熱を利用して居室の暖房を行うことができる。
【０００３】
また、上記の集熱板は、日当たりのよい建物の南面に設置されることが考えられる。この場合、上記特許文献１の構成では、建物において南面の外壁に隣接する居室すなわち南向きの居室に対して暖気が供給されることとなる。
【先行技術文献】
【特許文献】
【０００４】
【特許文献１】特開２００５−３２６０７７号公報
【発明の概要】
【発明が解決しようとする課題】
【０００５】
ところで、建物の外壁はその設置された方角によって日当たりの良し悪しが異なる。例えば、建物において北面の外壁は日当たりがなく、そのため冬場には低温となり易い。したがって、北面の外壁に隣接する部屋（すなわち北向きの部屋）では、外壁を通じて屋外への熱漏れが生じ易く、それ故暖房負荷の増大といった種々の不都合が生じることが懸念される。
【０００６】
そこで、上述の太陽熱を利用した特許文献１の構成を北向きの部屋の暖房に用いることにより、上記の不都合を防止することが考えられる。しかしながら、上記の構成は、集熱板が設置される南面の外壁に隣接する部屋（南向きの部屋）を対象に暖房を行うものであり、集熱板から離れて設けられる北向きの部屋について暖房することは困難であると考えられる。
【０００７】
本発明は、上記事情に鑑みてなされたものであり、外壁の断熱性能を高めることができる建物外壁の断熱装置を提供することを主たる目的とするものである。
【課題を解決するための手段】
【０００８】
上記課題を解決すべく、第１の発明の建物外壁の断熱装置は、建物の外周部に設けられる複数の外壁のうち、太陽光が当たる所定の方角に設けられた第１外壁には、その屋外側に集熱パネルが設けられ、該集熱パネルと当該第１外壁との間には集熱空間が形成されており、前記所定の方角とは異なる方角に設けられた第２外壁には、その屋外側に断熱パネルが設けられ、該断熱パネルと当該第２外壁との間には断熱空間が形成されており、前記集熱空間と前記断熱空間とは互いに連通されていることを特徴とする。
【０００９】
本発明によれば、太陽光が当たる所定の方角に設けられた建物の第１外壁（例えば南面の外壁）において集熱空間の空気が集熱パネルを介して太陽熱により暖められる。また、集熱パネルが設けられた所定の方角とは異なる方角、例えば太陽光が当たらない又は当たりにくい方角に設けられた第２外壁（例えば北面の外壁）においては断熱パネルと第２外壁との間に形成された断熱空間に対して、集熱空間で暖められた空気（暖気）が供給される。そのため、例えば冬場において外壁（第２外壁）の断熱性能を高めることができる。
【００１０】
第２の発明の建物外壁の断熱装置は、第１の発明において、前記第２外壁と前記断熱パネルとの間に前記断熱空間を蓄熱空間とする気密囲い部が設けられていることを特徴とする。
【００１１】
本発明によれば、第２外壁と断熱パネルとの間に気密囲い部が設けられているため、集熱空間で暖められた空気（暖気）を断熱空間において同空気が外部に漏れ出るのを抑制しつつ蓄えることができる。これにより、断熱空間において好適な蓄熱が可能となり、夜間においても第２外壁の断熱性向上を図ることができる。
【００１２】
第３の発明の建物外壁の断熱装置は、第１又は第２の発明において、前記集熱空間と前記断熱空間との連通を遮断する遮断手段を備えることを特徴とする。
【００１３】
本発明によれば、集熱空間と断熱空間との連通を遮断手段により遮断した状態で、集熱空間で暖められた空気（暖気）を断熱空間に蓄えることができる。これにより、暖気が集熱空間に流れ込むのを抑制できるため好適な蓄熱が可能となる。
【００１４】
例えば、集熱空間と断熱空間との連続空間が閉空間からなる構成においては、集熱空間と断熱空間とを連通させた状態で、集熱空間で暖められた空気（暖気）を断熱空間に蓄えることも考えられる。（換言すると、この場合には、暖気が断熱空間と集熱空間とに跨って蓄えられることとなる。）しかしながら、かかる構成では、断熱空間に蓄えられた暖気が集熱空間に流れ込み、その後同空気に含まれる熱が集熱パネルを介して屋外に放出されることが想定される。特に、集熱パネルは、太陽熱を効率よく集めるためにアルミニウム等の熱伝導性の高い金属材料により形成されており、かかる材料は放熱性も高いことからかかる不都合が生じる可能性は高いと考えられる。この点、断熱空間と集熱空間とを遮断手段により遮断した状態で断熱空間に暖気を蓄えられる上記の構成であれば、このような不都合を回避しつつ好適な蓄熱が可能となる。
【００１５】
第４の発明の建物外壁の断熱装置は、第１乃至第３のいずれかの発明において、前記建物には、浴室及び脱衣室が、前記第２外壁を隔てて前記断熱空間と隣接して設けられていることを特徴とする。
【００１６】
本発明によれば、浴室及び脱衣室において断熱性能を高めることができるため、冬場におけるヒートショックの抑制を図ることができる。
【００１７】
第５の発明の建物外壁の断熱装置は、第１乃至第４のいずれかの発明において、前記断熱空間を、該断熱空間に前記第２外壁を隔てて隣接する屋内空間と連通させる給気通路を備えることを特徴とする。
【００１８】
本発明によれば、断熱空間に第２外壁を隔てて隣接する屋内空間、すなわち日当たりのない又は悪い外壁に隣接する屋内空間に断熱空間の空気（暖気）を給気通路を介して供給できる。これにより、第２外壁（ひいては屋内空間）の断熱性向上を図りつつ、屋内空間の暖房を行うことができる。
【００１９】
第６の発明の建物外壁の断熱装置は、第５の発明において、前記給気通路を開閉する通路開閉部材と、前記屋内空間の温度を検知する屋内温度検知手段と、前記断熱空間の温度を検知する断熱空間温度検知手段と、前記断熱空間の温度が前記屋内空間の温度よりも高いことを条件として、前記給気通路を開くよう前記通路開閉部材を制御する開閉制御手段と、を備えることを特徴とする。
【００２０】
本発明によれば、断熱空間の温度が屋内空間の温度よりも高い場合に限って、給気通路が開放され、同通路を介した断熱空間の空気（暖気）の屋内空間への供給が可能となる。これを換言すると、断熱空間の空気に含まれる熱が第２外壁の断熱に利用される等することで、同空気の温度が屋内空間の温度以下になった場合には給気通路が開かれず、同空気の屋内空間への供給が禁止される。これにより、断熱空間の空気が低温であるにもかかわらず屋内空間に供給され、かえって屋内空間が冷やされる等の不都合を回避できる。
【図面の簡単な説明】
【００２１】
【図１】建物の概要を示す平面図。
【図２】南面の外壁構造体周辺の構成を示す横断面図。
【図３】北面の外壁構造体周辺の構成を示す横断面図。
【図４】外壁断熱装置の電気的構成を示すブロック図。
【図５】外壁暖房処理を示すフローチャート。
【図６】昼間暖房処理を示すフローチャート。
【図７】夜間暖房処理を示すフローチャート。
【図８】他の実施形態における建物の概要を示す平面図。
【図９】他の実施形態における建物の概要を示す平面図。
【発明を実施するための形態】
【００２２】
以下に、本発明を具体化した一実施の形態について図面を参照しつつ説明する。なお、図１は本実施形態における建物の概要を示す平面図である。
【００２３】
図１に示すように、建物１０の外周部には外壁構造体１１が設けられている。外壁構造体１１は、後述するように外壁パネルや内壁材等を有して構成される壁体であり、外壁に相当するものである。外壁構造体１１は、建物内空間を四方から囲むように設けられており、それら各外壁構造体１１ａ〜１１ｄのうち、外壁構造体１１ａが北面、外壁構造体１１ｂが西面、外壁構造体１１ｃが南面、外壁構造体１１ｄが東面にそれぞれ設けられている。
【００２４】
建物１０には、主な屋内スペースとして、玄関１２、第一居室１３、第二居室１４、脱衣室１５、浴室１６及び機械室１７が設けられている。第一居室１３は南面の外壁構造体１１ｃに隣接して設けられ、第二居室１４、脱衣室１５及び浴室１６はそれぞれ北面の外壁構造体１１ａに隣接して設けられている。
【００２５】
脱衣室１５は浴室１６に隣接して設けられており、脱衣室１５から浴室１６へ出入りするための出入口２１には開閉扉２２が設けられている。この開閉扉２２にはガラリ（図示略）が設けられており、このガラリによって脱衣室１５と浴室１６との間の通気が可能となっている。
【００２６】
機械室１７には空調装置１９が設けられている。空調装置１９は少なくとも暖房機能を有する室内機として構成されており、本実施形態では、この空調装置１９より複数の部屋に対して空調空気（暖気）を供給することで、それら各部屋の暖房を行うこととしている。具体的には、空調装置１９には複数の通気ダクト２４（図１において破線で示す）が接続されており、それら各通気ダクト２４にはそれぞれ吹出グリル２５が接続されている。吹出グリル２５は、第一居室１３、第二居室１４及び脱衣室１５にそれぞれ設けられ、空調装置１９から各通気ダクト２４を介して各吹出グリル２５に暖気が供給されると、その暖気が各吹出グリル２５より第一居室１３、第二居室１４及び脱衣室１５にそれぞれ吹き出されるようになっている。
【００２７】
各吹出グリル２５にはそれぞれ各々の吹出口（図示略）を開閉する通気ガラリ２６が設けられている。図１では便宜上、通気ガラリ２６を通気ダクト２４の途中に図示している。通気ガラリ２６は、図示しない駆動部（モータ等）によって電気的に開閉駆動されるものであり、駆動部が制御されることにより開状態と閉状態とに切替可能となっている。ここで、通気ガラリ２６が開状態とされると、吹出グリル２５が開放され同グリル２５からの空調空気（暖気）の吹き出しが許容される。それに対して、通気ガラリ２６が閉状態とされると、吹出グリル２５が閉鎖され同グリル２５からの空調空気の吹き出しが禁止される。
【００２８】
ところで、本実施形態の建物１０には外壁断熱装置２０が設けられている。外壁断熱装置２０は、建物１０において日当たりのない北面の外壁構造体１１ａ、及び、日当たりの悪い西面の外壁構造体１１ｂについて断熱性能を高めるためのものである。以下、この外壁断熱装置２０について説明する。
【００２９】
外壁断熱装置２０は、南面の外壁構造体１１ｃに設けられた集熱パネル２８を備えている。集熱パネル２８は外壁構造体１１ｃの屋外側に設けられており、建物１０の南面（詳しくは南面の一部）において屋外面を形成している。集熱パネル２８は、アルミニウム等の鋼鉄材により板状に形成されており、熱伝導率が比較的高いものとなっている。具体的には、集熱パネル２８は、板材が波状に折り曲げられて形成された折曲板からなり、上下方向に延び且つ横並びとされた複数の溝部を有している。なおここで、南面の外壁構造体１１ｃが第１外壁に相当する。
【００３０】
集熱パネル２８は、外壁構造体１１ｃに対して屋外側に離間しかつ対向して設けられており、これにより集熱パネル２８と外壁構造体１１ｃとの間には集熱空間３０が形成されている。集熱パネル２８に対して太陽光が照射されると、その太陽熱が集熱パネル２８を介して集熱空間３０の空気に伝達され、これにより集熱空間３０の空気が暖められるようになっている。
【００３１】
集熱空間３０は、外壁構造体１１ｃの壁面に沿って拡がる空間となっており、その上端部に設けられた上板（図示略）により屋外と区画されており、その下端部に設けられた底板４７により屋外と区画されている。また、集熱空間３０は、その左右方向の一端部、詳しくは後述する断熱空間３６とは反対側の端部において側板４９により屋外と区画されている。上板、底板４７及び側板４９はそれぞれ集熱パネル２８と外壁構造体１１ｃとの間に配設されて、集熱パネル２８を外壁構造体１１ｃに連結する連結部材として機能している。
【００３２】
集熱パネル２８には、集熱空間３０と屋外とを連通する取込口３１が設けられている。取込口３１は、集熱空間３０に屋外の空気を取り込むための開口である。取込口３１は、集熱パネル２８において左右方向の一端部、具体的には後述する断熱空間３６とは反対側の端部に設けられている。また、取込口３１は、集熱パネル２８において下部に設けられている。なお、取込口３１は、集熱パネル２８において左右方向における中央部に設けたり、上部に設けたりする等その位置は任意としてよい。また、取込口３１は、集熱パネル２８に代えて底板４７に設けられてもよい。
【００３３】
また、取込口３１の屋外側には取込ファン３２が設けられている。取込ファン３２は、取込口３１を通じて屋外の空気を集熱空間３０に積極的に取り込むためのものであり、集熱パネル２８の屋外側面に取り付けられている。
【００３４】
外壁断熱装置２０は、さらに北面及び西面の外壁構造体１１ａ，１１ｂにそれぞれ設けられた断熱パネル３３を備えている。断熱パネル３３は、各外壁構造体１１ａ，１１ｂの屋外側にそれぞれ設けられており、それら各断熱パネル３３がそれぞれ建物１０の北面及び西面において屋外面を形成している。なおここで、各外壁構造体１１ａ，１１ｂがそれぞれ第２外壁に相当する。
【００３５】
各断熱パネル３３はそれぞれ、各々の外壁構造体１１ａ，１１ｂに対して屋外側に離間しかつ対向して設けられており、これにより外壁構造体１１ａと断熱パネル３３との間、及び外壁構造体１１ｂと断熱パネル３３との間にはそれぞれ断熱空間３６が形成されている。これら各断熱空間３６はそれぞれ、各々の外壁構造体１１ａ，１１ｂ（又は断熱パネル３３）の壁面に沿って拡がっており、互いに連通（連続）している。これにより、各断熱空間３６同士の間で空気の流通が可能となっている。
【００３６】
各断熱空間３６はそれぞれ、その上端部に設けられた上板（図示略）により屋外と区画され、その下端部に設けられた底板５８により屋外と区画されている。上板と底板５８とはそれぞれ断熱パネル３３と外壁構造体１１ａ，１１ｂとの間に配設されて、断熱パネル３３を外壁構造体１１ａ，１１ｂに連結する連結部材として機能している。また、北面の断熱空間３６は、その左右方向における一端部、詳しくは西面の断熱空間３６とは反対側の端部において側板５９により屋外と区画されている。この側板５９は、断熱パネル３３と外壁構造体１１ａとの間に配設され、断熱パネル３３を外壁構造体１１ａに連結する連結部材として機能している。このように、上板、底板５８及び側板５９は断熱空間３６を囲む位置にそれぞれ設けられており、後述する遮断部材３８とともに気密囲い部を構成している。
【００３７】
また、断熱空間３６（詳しくは西面の断熱空間３６）は、上述した集熱空間３０に連通（連続）しており、集熱空間３０と断熱空間３６との間で空気の流通が可能となっている。したがって、本建物１０では、外壁構造体１１ａ〜１１ｃの屋外側において、南面の集熱空間３０、西面の断熱空間３６及び北面の断熱空間３６が連続してなる連続空間が形成されている。
【００３８】
北面の外壁構造体１１ａには、断熱空間３６と第二居室１４とを連通する居室側給気通路４１と、断熱空間３６と脱衣室１５とを連通する脱衣室側給気通路４３とが設けられている。これにより、断熱空間３６の空気を居室側給気通路４１を介して第二居室１４に供給でき、脱衣室側給気通路４３を介して脱衣室１５に供給できる。また、脱衣室側給気通路４３の屋内側（脱衣室１５側）には給気ファン４５が設けられており、この給気ファン４５を作動させることにより、断熱空間３６の空気を脱衣室１５に積極的に取り込むことが可能となっている。
【００３９】
北面の断熱パネル３３には、断熱空間３６と屋外とを連通する排気通路４６が設けられている。排気通路４６は、当該断熱パネル３３において左右方向の一端部、具体的には西面の断熱パネル３３とは反対側の端部に設けられている。また、排気通路４６は、北面の断熱パネル３３において上部に設けられている。したがって、集熱空間３０と断熱空間３６との連続空間は、その一端側において取込口３１を介して屋外と連通され、他端側において排気通路４６を介して屋外と連通されている。なお、排気通路４６は、北面の断熱パネル３３において左右方向における中央部に設けたり、下部に設けたりする等その位置は任意としてよい。また、排気通路４６は、断熱パネル３３に代えて上板に設けられてもよい。
【００４０】
断熱空間３６と集熱空間３０との境界部には、それら両空間３０，３６の連通を遮断する遮断手段としての遮断部材３８が設けられている。遮断部材３８は、断熱空間３６の通路断面と同じ形状でかつ同じ大きさを有する縦長の平板よりなり、上記境界部において回動可能に設けられている。遮断部材３８は回動することにより、集熱空間３０と断熱空間３６とを連通させる連通状態（図１の実線）と、集熱空間３０と断熱空間３６との連通を遮断する遮断状態（図１の一点鎖線）とに切替可能とされている。また、遮断部材３８は、周知の電動モータ等からなる遮断用駆動部３９によって回動駆動される構成となっており、かかる駆動によって連通状態と遮断状態とに切り替えられるようになっている。
【００４１】
続いて、集熱パネル２８が設けられた南面の外壁構造体１１ｃ周辺の構成を図２を用いて説明する。図２は、南面の外壁構造体１１ｃ周辺の構成を示す横断面図である。
【００４２】
図２に示すように、外壁構造体１１ｃにおいて屋外側には外壁パネル４８が設けられている。外壁パネル４８は、外壁面材５１と、その裏面側（屋内面側）に設けられた外壁フレーム５２とを備える。外壁面材５１は、例えば窯業系サイディングボードにより構成され、外壁フレーム５２は、溝形鋼が複数連結されることにより構成されている。また、外壁フレーム５２は図示しない梁部材に対してボルト等で固定されており、これにより外壁パネル４８が建物１０に固定されている。
【００４３】
外壁フレーム５２の屋内側には下地フレーム５４が固定されており、同フレーム５４の屋内側には内壁面材５５が固定されている。内壁面材５５は、例えば石膏ボードにより構成されており、内壁面材５５の裏面側（屋外面側）にはグラスウールからなる壁内断熱材５６が設けられている。壁内断熱材５６は、内壁面材５５に沿って板状に形成されており、壁内断熱材５６と外壁面材５１との間には壁内通気層５７が形成されている。そして、外壁パネル４８（外壁面材５１）の屋外側に集熱パネル２８が設けられ、外壁パネル４８と集熱パネル２８との間に集熱空間３０が形成されている。
【００４４】
次に、断熱パネル３３が設けられた北面の外壁構造体１１ａ周辺の構成を図３を用いて説明する。図３は、北面の外壁構造体１１ａ周辺の構成を示す横断面図である。
【００４５】
図３に示すように、北面の外壁構造体１１ａは、基本的に上述した南面の外壁構造体１１ｃと同様の構成を有しており、その屋外側に外壁パネル４８が設けられ、同パネル４８の屋内側には内壁面材５５や壁内断熱材５６が設けられている。
【００４６】
外壁パネル４８（外壁面材５１）の屋外側には断熱パネル３３が設けられている。断熱パネル３３は、屋外面を形成する外装材３４と、その裏面に設けられた断熱材３５とを備える。外装材３４は、例えば窯業系サイディングボードにより形成されており、熱伝導率が比較的低いものとなっている。
【００４７】
断熱材３５は、発泡ウレタンフォーム等の樹脂系断熱材により板状に形成されており、外装材３４の裏面に重ね合わせられて設けられている。断熱材３５と外壁面材５１との間には所定の隙間が形成されており、この隙間が上述した断熱空間３６となっている。この場合、断熱空間３６を挟んだ屋内外方向の両側にそれぞれ断熱材３５，５６が設けられており、この点からすると断熱空間３６を断熱空間部と称することもできる。
【００４８】
外壁構造体１１ａには、当該構造体１１ａを貫通する２つの通路部材６１，６５が設けられている。これら各通路部材６１，６５は矩形形状の開口断面を有するダクトからなり、居室側通路部材６１により断熱空間３６と第二居室１４とを連通する居室側給気通路４１が形成され、脱衣室側通路部材６５により断熱空間３６と脱衣室１５とを連通する脱衣室側給気通路４３が形成されている。
【００４９】
居室側給気通路４１には、同通路４１を開閉する開閉板６２が設けられている。開閉板６２は、矩形平板状をなしており、居室側給気通路４１を塞ぐことが可能な大きさを有してなる。開閉板６２は、居室側通路部材６１に設けられた回動軸６４によって回動可能に軸支されており、回動することにより居室側給気通路４１を開閉する構成となっている。開閉板６２が開状態（図３の実線）とされると、断熱空間３６と第二居室１４とが居室側給気通路４１を介して連通され、開閉板６２が閉状態（図３の一点鎖線）とされると、断熱空間３６と第二居室１４との連通が開閉板６２により遮断される。
【００５０】
脱衣室側給気通路４３には、同通路４３を開閉する開閉板６６が設けられている。開閉板６６は、矩形平板状をなしており、脱衣室側給気通路４３を塞ぐことが可能な大きさを有してなる。開閉板６６は、脱衣室側通路部材６５に設けられた回動軸６９によって回動可能に軸支されており、回動することにより脱衣室側給気通路４３を開閉する構成となっている。開閉板６６が開状態（図３の実線）とされると、断熱空間３６と脱衣室１５とが脱衣室側給気通路４３を介して連通され、開閉板６６が閉状態（図３の一点鎖線）とされると、断熱空間３６と脱衣室１５との連通が開閉板６６により遮断される。なお、上記各開閉板６２，６６がそれぞれ通路開閉部材に相当する。
【００５１】
断熱パネル３３（詳しくは外装材３４及び断熱材３５）には、同パネル３３を貫通するようにして排気用通路部材７１が設けられている。この排気用通路部材７１により断熱空間３６と屋外とを連通する排気通路４６が形成されている。排気通路４６の屋外側には、当該通路４６を開閉する複数のスラット７２が設けられている。これら各スラット７２が開状態（図３の実線）とされることにより、断熱空間３６と屋外とが連通され、各スラット７２が閉状態（図３の一点鎖線）とされることで断熱空間３６と屋外との連通が遮断される。また、これら各スラット７２は、スラット駆動部７３により開閉駆動されるものとなっている。スラット駆動部７３は、例えば周知の電動式モータ等からなる。
【００５２】
なお、図示は省略するが、西面の外壁構造体１１ｂについても、上述した北面の外壁構造体１１ａと同様の構成を有しており、外壁構造体１１ｂ（外壁パネル４８）の屋外側には外装材３４及び断熱材３５を有してなる断熱パネル３３が設けられ、同断熱材３５と外壁パネル４８との間には断熱空間３６が形成されている。
【００５３】
続いて、上述した外壁断熱装置２０の作用について説明する。
【００５４】
遮断部材３８を連通状態とすることにより断熱空間３６と集熱空間３０とを連通させた状態で取込ファン３２を作動させると、取込口３１を通じて屋外の空気が集熱空間３０に取り込まれる。この取り込まれた空気は集熱空間３０において集熱パネル２８を介して太陽熱により暖められ暖気となり、その後集熱空間３０から断熱空間３６に流れ込む。これにより、冬場においては、断熱空間３６に流れ込んだ暖気によって日当たりの悪い北面及び西面の外壁構造体１１ａ，１１ｂについて断熱性能を高めることができる。
【００５５】
また、かかる取込ファン３２の作動状態（かつ、集熱空間３０と断熱空間３６との連通状態）において、開閉板６２を開状態とし居室側給気通路４１を開放させると、同通路４１を通じて断熱空間３６の暖気が第二居室１４に供給される。この場合、その暖気によって第二居室１４が暖められる。また、同じく取込ファン３２の作動状態において、開閉板６６を開状態とし脱衣室側給気通路４３を開放させると、同通路４３を通じて断熱空間３６の暖気が脱衣室１５に供給される。この場合、その暖気によって脱衣室１５（ひいては浴室１６）が暖められる。また、同じく取込ファン３２の作動状態において、スラット７２を開状態とし排気通路４６を開放させると、同通路４６を通じて断熱空間３６の空気が屋外に排出される。
【００５６】
図１の説明に戻り、第二居室１４には、同居室１４の温度を検知する居室温度センサ７５が設けられ、脱衣室１５には、当該脱衣室１５の温度を検知する脱衣室温度センサ７６が設けられている。また、断熱空間３６には、当該断熱空間３６の温度を検知する断熱空間温度センサ７７が設けられている。ここで、居室温度センサ７５及び脱衣室温度センサ７６がそれぞれ屋内温度検知手段に相当し、断熱空間温度センサ７７が断熱空間温度検知手段に相当する。
【００５７】
次に、外壁断熱装置２０の電気的構成について図４に基づいて説明する。なお、図４は外壁断熱装置２０の電気的構成を示すブロック図である。
【００５８】
図４に示すように、建物１０には、開閉制御手段としてのコントローラ８０が設けられている。コントローラ８０は、ＣＰＵ等を周知のマイクロコンピュータを主体に構成されており、例えば第一居室１３の内壁面に設けられている。
【００５９】
コントローラ８０には、居室温度センサ７５、脱衣室温度センサ７６及び断熱空間温度センサ７７から逐次検知結果が入力される。また、コントローラ８０には、空調装置１９からの空調実施情報が逐次入力される。空調実施情報としては、空調装置１９が暖房運転をしているか否かに関する暖房運転情報や、暖房設定温度に関する設定温度情報等がコントローラ８０に入力される。
【００６０】
コントローラ８０は、上記各センサ７５〜７７からの検知結果及び空調装置１９からの空調実施情報に基づいて、取込ファン３２、給気ファン４５、開閉駆動部６３，６７、スラット駆動部７３、遮断用駆動部３９及び通気ガラリ２９をそれぞれ駆動制御する。
【００６１】
次に、コントローラ８０により実行される外壁暖房処理について図５に基づいて説明する。なお、図５は外壁暖房処理を示すフローチャートである。また、本処理は所定の周期で繰り返し実行される。
【００６２】
図５に示すように、まずステップＳ１１では、現在の時刻が所定の昼間時間帯であるか否かを判定する。ここで、所定の昼間時間帯は集熱パネル２８に対して太陽光が照射される時間帯に設定されており、例えば１０：００〜１６：００に設定されている。現在の時刻が所定の昼間時間帯である場合にはステップＳ１２に進み、昼間暖房処理を実行する。
【００６３】
ここで、昼間暖房処理について図６に基づいて説明する。図６は昼間暖房処理を示すフローチャートである。図６に示すように、昼間暖房処理ではまずステップＳ３１において、遮断用駆動部３９に駆動信号を出力して遮断部材３８を連通状態に移行させる。これにより、集熱空間３０と断熱空間３６とが連通された状態となる。続くステップＳ３２では、取込ファン３２に駆動信号を出力し同ファン３２を作動させる。これにより、取込口３１を通じて屋外の空気が集熱空間３０に流れ込み同空間３０にて暖められるとともに、その暖められた空気が集熱空間３０から断熱空間３６に流れ込む。これにより、冬場においては断熱空間３６の暖気により外壁構造体１１ａ，１１ｂの断熱性能が高められる。
【００６４】
ステップＳ３３では、居室温度センサ７５及び断熱空間温度センサ７７からの検知結果に基づいて、断熱空間３６の温度が第二居室１４の温度よりも高いか否かを判定する。断熱空間３６の温度が第二居室１４の温度よりも高い場合にはステップＳ３８に進む。
【００６５】
ステップＳ３８では、第二居室１４側の開閉駆動部６３に開信号を出力して第二居室１４側の開閉板６２を開状態とし、続くステップＳ３９では脱衣室１５側の開閉駆動部６７に閉信号を出力して脱衣室１５側の開閉板６６を閉状態とし、続くステップＳ４０ではスラット駆動部７３に閉信号を出力してスラット７２を閉状態とする。この場合、居室側給気通路４１が開放されるとともに、脱衣室側給気通路４３及び排気通路４６が閉鎖される。これにより、断熱空間３６の暖気が居室側給気通路４１を通じて第二居室１４に流れ込み、その流れ込んだ暖気によって第二居室１４が暖められる。
【００６６】
また、ステップＳ３３において、断熱空間３６の温度が第二居室１４の温度以下である場合にはステップＳ３４に進む。ステップＳ３４では、脱衣室温度センサ７６及び断熱空間温度センサ７７からの検知結果に基づいて、断熱空間３６の温度が脱衣室１５の温度よりも高いか否かを判定する。断熱空間３６の温度が脱衣室１５の温度よりも高い場合には、ステップＳ３５に進む。
【００６７】
ステップＳ３５では、第二居室１４側の開閉駆動部６３に閉信号を出力して第二居室１４側の開閉板６２を閉状態とし、続くステップＳ３６では脱衣室１５側の開閉駆動部６７に開信号を出力して脱衣室１５側の開閉板６６を開状態とし、続くステップＳ３７ではスラット駆動部７３に閉信号を出力してスラット７２を閉状態とする。この場合、脱衣室側給気通路４３が開放されるとともに、居室側給気通路４１及び排気通路４６が閉鎖される。これにより、断熱空間３６の暖気が脱衣室側給気通路４３を通じて脱衣室１５に流れ込み、その流れ込んだ暖気によって脱衣室１５が暖められる。
【００６８】
ステップＳ３４において、断熱空間３６の温度が脱衣室１５の温度以下である場合にはステップＳ４１に進む。ステップＳ４１では、第二居室１４側の開閉駆動部６３に閉信号を出力して第二居室１４側の開閉板６２を閉状態とし、続くステップＳ４２では脱衣室１５側の開閉駆動部６７に閉信号を出力して脱衣室１５側の開閉板６６を閉状態とし、続くステップＳ４３ではスラット駆動部７３に開信号を出力してスラット７２を開状態とする。この場合、排気通路４６が開放されるとともに各給気通路４１，４３が閉鎖される。これにより、断熱空間３６の空気が排気通路４６を通じて屋外に排出される。したがって、断熱空間３６の空気（熱）が外壁構造体１１ａ，１１ｂの断熱性能を高めるために利用される等して、同空気の温度が第二居室１４の温度以下で、かつ、脱衣室１５の温度以下となった場合には、断熱空間３６の空気が第二居室１４及び脱衣室１５のいずれに対しても供給されないようになっている。以上が、昼間暖房処理についての説明である。
【００６９】
図５の説明に戻り、ステップＳ１１おいて現在の時刻が所定の昼間時間帯でない場合にはステップＳ１３に進み、現在の時刻が所定の蓄熱時間帯であるか否かを判定する。本実施形態では、昼間に集熱空間３０で暖められた空気（暖気）を断熱空間３６で蓄えることにより、その蓄えられた暖気（熱）を夜間において脱衣室１５を暖めるために利用することとしている。そのため、ステップＳ１４〜Ｓ１６の各処理は断熱空間３６に暖気（熱）を蓄えるための蓄熱処理に相当するものとなっており、この蓄熱処理を所定の蓄熱時間帯に実施することとしている。なおここで、所定の蓄熱時間帯は、太陽光の照射が弱まる夕方の時刻から、蓄えた熱により脱衣室１５の暖めを開始する時刻（詳しくは後述する夜間暖房処理の開始時刻）までとなっており、例えば１６：００〜２０：００に設定されている。ステップＳ１３において、現在の時刻が所定の蓄熱時間帯であると判定された場合には、ステップＳ１４に進む。
【００７０】
ステップＳ１４では、取込ファン３２に対する駆動信号の出力を停止して、取込ファン３２の作動を停止させる。続くステップＳ１５では、遮断用駆動部３９に閉信号を出力して遮断部材３８を閉状態とする。これにより、遮断部材３８により集熱空間３０と断熱空間３６との連通が遮断された状態となる。ステップＳ１６では、各開閉駆動部６３，６７及びスラット駆動部７３に閉信号を出力し、各開閉板６２，６６及びスラット７２を閉状態とする。これにより、断熱空間３６は第二居室１４、脱衣室１５及び屋外のいずれに対しても開放されていない状態となり、その結果断熱空間３６の空気ひいては熱が外部に漏れ出るのが抑制された状態（すなわち蓄熱状態）となる。
【００７１】
ステップＳ１３において、現在の時刻が蓄熱時間帯でない場合にはステップＳ１７に進み、現在の時刻が所定の夜間時間帯であるか否かを判定する。本実施形態では、所定の夜間時間帯において、上述した蓄熱処理（ステップＳ１４〜Ｓ１６）により蓄えた暖気（熱）を用い脱衣室１５の暖め等を行う夜間暖房処理を実施することとしている。ここで、所定の夜間時間帯は、居住者が浴室１６を利用する時間帯に設定されており、例えば２０：００〜２１：００に設定されている。ステップＳ１７において現在の時刻が所定の夜間時間帯である場合にはステップＳ１８に進み、夜間暖房処理を実行する。
【００７２】
続いて、夜間暖房処理について図７に基づいて説明する。図７は夜間暖房処理を示すフローチャートである。図７に示すように、夜間暖房処理ではまずステップＳ５１において脱衣室温度センサ７６からの検知結果及び空調装置１９からの設定温度情報に基づいて、脱衣室１５の温度が暖房設定温度よりも低いか否か、すなわち脱衣室１５の暖房が必要か否かを判定する。脱衣室１５の温度が暖房設定温度よりも低い場合には、ステップＳ５２に進み、脱衣室温度センサ７６及び断熱空間温度センサ７７からの検知結果に基づいて、断熱空間３６の温度が脱衣室１５の温度よりも高いか否かを判定する。断熱空間３６の温度が脱衣室１５の温度よりも高い場合にはステップＳ５３に進む。
【００７３】
ステップＳ５３では、脱衣室１５側の開閉駆動部６７に開信号を出力して脱衣室１５側の開閉板６６を開状態とする。これにより、断熱空間３６と脱衣室１５とが脱衣室側給気通路４３を介して連通される。次のステップＳ５４では、給気ファン４５に駆動信号を出力して同ファン４５を作動させる。この場合、断熱空間３６内に蓄えられた暖気が脱衣室側給気通路４３を通じて脱衣室１５に供給され、その暖気によって脱衣室１５が暖められる。
【００７４】
ステップＳ５５では、脱衣室１５の通気ガラリ２６に閉信号を出力して脱衣室１５の吹出グリル２５（詳しくはその吹出口）を閉じる。これにより、空調装置１９から脱衣室１５への暖気の供給が停止される。すなわち、本処理では、断熱空間３６の温度が脱衣室１５の温度よりも高い場合には、脱衣室１５の暖気を空調装置１９からの暖気よりも優先して脱衣室１５に供給するようにしている。
【００７５】
ステップＳ５２において、断熱空間３６の温度が脱衣室１５の温度以下である場合には、ステップＳ５６に進み、脱衣室１５側の開閉駆動部６７に閉信号を出力して脱衣室１５側の開閉板６６を閉状態とする。これにより、断熱空間３６と脱衣室１５との連通が遮断される。次のステップＳ５７では、給気ファン４５に対する駆動信号の出力を停止して給気ファン４５の作動を停止させる。この場合、断熱空間３６に蓄えられた空気すなわち暖気が脱衣室１５に供給されず、同空間３６に蓄えられたままとなる。
【００７６】
ステップＳ５８では、脱衣室１５の通気ガラリ２６に開信号を出力して脱衣室１５の吹出グリル２５を開く。これにより、空調装置１９より脱衣室１５に暖気が供給される。すなわち、本処理では、断熱空間３６の温度が脱衣室１５の温度以下である場合には、断熱空間３６の空気を脱衣室１５に供給せず、空調装置１９からの暖気を脱衣室１５に供給するようにしている。
【００７７】
先のステップＳ５１において、脱衣室１５の温度が空調装置１９の暖房設定温度以下である場合、すなわち脱衣室１５の暖房が必要でない場合には、ステップＳ５９に進んで脱衣室１５側の開閉板６６を閉状態とし、次のステップＳ６０にて給気ファン４５の作動を停止する。そして、続くステップＳ６１では脱衣室１５の通気ガラリ２６を閉状態として脱衣室１５の吹出グリル２５を閉じる。よって、この場合、断熱空間３６及び空調装置１９のいずれからも脱衣室１５に対して暖気の供給が行われない。
【００７８】
以上、詳述した本実施形態の構成によれば、以下の優れた効果が得られる。
【００７９】
南面の外壁構造体１１ｃの屋外側に集熱パネル２８を設けることで、集熱パネル２８と外壁構造体１１ｃとの間に集熱空間３０を形成したため、集熱空間３０の空気を集熱パネル２８を介して太陽熱によって暖めることができる。また、北面及び西面の外壁構造体１１ａ，１１ｂの屋外側に断熱パネル３３を設けることで、断熱パネル３３と外壁構造体１１ａ，１１ｂとの間に断熱空間３６を形成し、この断熱空間３６を集熱空間３０と連通させた。これにより、冬場においては集熱空間３０で暖められた空気を断熱空間３６に供給することにより、日当たりのない北面の外壁構造体１１ａ及び、日当たりの悪い西面の外壁構造体１１ｂについて断熱性能を高めることができる。したがって、これらの外壁構造体１１ａ，１１ｂに隣接する第二居室１４や脱衣室１５において暖房効率の向上を図ったり暖房負荷の低減を図ったりすることができる。
【００８０】
また、集熱空間３０から断熱空間３６への空気の流れを生じさせる気流発生手段としての取込ファン３２を設けたため、集熱空間３０で暖められた空気を積極的に断熱空間３６に供給できる。そのため、上記の効果を好適に奏することができる。
【００８１】
北面及び西面の外壁構造体１１ａ，１１ｂと断熱パネル３３との間に、断熱空間３６を囲む気密囲い部として遮断部材３８、上板、底板５８及び側板５９を設け、同断熱空間３６を蓄熱空間として構成した。この場合、集熱空間３０で暖められた空気（暖気）を断熱空間３６において同空気が外部に漏れ出るのを抑制しつつ蓄えることができる。これにより、断熱空間３６において好適な蓄熱が可能となり、夜間においても外壁構造体１１ａ，１１ｂの断熱性向上を図ることができる。
【００８２】
集熱空間３０と断熱空間３６との連通を遮断する遮断部材３８を設けたため、遮断部材３８により両空間３０，３６を遮断した状態で、集熱空間３０で暖められた空気（暖気）を断熱空間３６において蓄えることができる。これにより、断熱空間３６の暖気が集熱空間３０に流れ込むのを抑制できるため、断熱空間３６において好適な蓄熱が可能となる。
【００８３】
断熱空間３６を、北面の外壁構造体１１ａを隔てて脱衣室１５及び浴室１６に隣接させて設けたため、脱衣室１５及び浴室１６において断熱性能を高めることができる。これにより、冬場におけるヒートショックの抑制を図ることができる。
【００８４】
断熱空間３６と第二居室１４とを居室側給気通路４１を介して連通させたため、断熱空間３６の空気（暖気）を第二居室１４に同通路４１を介して供給できる。これにより、外壁構造体１１ａ，１１ｂの断熱性能を高めつつ、第二居室１４の暖房を行うことができる。したがって、第二居室１４における暖房負荷をより一層軽減させることができる。また、これと同様に、断熱空間３６と脱衣室１５とを脱衣室側給気通路４３を介して連通させたため、断熱空間３６の空気（暖気）を同通路４３を介して脱衣室１５に供給でき、これによって脱衣室１５の暖房を行うことができる。
【００８５】
居室側給気通路４１を開閉する開閉板６２を設け、断熱空間温度センサ７７により検知された断熱空間３６の温度が、居室温度センサ７５により検知された第二居室１４の温度よりも高いことを条件として、同通路４１を開くよう開閉板６２を制御した。この場合、断熱空間３６の温度が第二居室１４の温度よりも高い場合に限り、断熱空間３６の空気（暖気）について同通路４１を介した第二居室１４への供給が可能となる。換言すると、断熱空間３６の空気に含まれる熱が外壁構造体１１ａ，１１ｂの断熱に利用される等することで、同空気の温度が第二居室１４の温度以下となった場合には、居室側給気通路４１が開かれず、同空気の第二居室１４への供給が禁止される。これにより、断熱空間３６の空気が低温であるにもかかわらず第二居室１４に供給されてかえって第二居室１４が冷やされるといった不都合が生じるのを回避できる。また、これと同様に、脱衣室側給気通路４３を開閉する開閉板６６を設け、断熱空間３６の温度が、脱衣室温度センサ７６により検知された脱衣室１５の温度よりも高いことを条件として、同通路４３を開くよう開閉板６６を制御したため、脱衣室１５についても上記同様の効果が得られる。
【００８６】
本発明は上記実施形態に限らず、例えば次のように実施されてもよい。
【００８７】
（１）上記実施形態では、取込ファン３２を作動させることで、集熱空間３０から断熱空間３６に向かう空気の流れを生じさせ、この気流により集熱空間３０で生成された暖気を断熱空間３６に導くようにしたが、取込ファン３２を用いずに、自然対流によって集熱空間３０の暖気を断熱空間３６に導くようにしてもよい。例えば、二階建ての建物１０において、断熱パネル３３を二階部分の西面の外壁構造体１１ｂに設置することで二階部分に断熱空間３６を形成し、これにより一階部分の集熱空間３０から二階部分の断熱空間３６に向かう上昇気流を発生させる。そして、かかる上昇気流を利用して集熱空間３０の空気を断熱空間３６に導くことが考えられる。また、本実施形態のように、集熱空間３０と断熱空間３６とが同一階同士にある場合においても、取込口３１を集熱パネル２８において下端部付近に形成するとともに排気通路４６を断熱パネル３３において上端部付近に形成すれば、すなわち取込口３１と排気通路４６との間の上下高さを大きくすれば、集熱空間３０と断熱空間３６との連続空間において取込口３１から排気通路４６に向かう上昇気流を生じさせることが可能となる。
【００８８】
（２）上記実施形態では、建物１０において北面及び西面に断熱空間３６を形成したが、さらに東面にも断熱空間３６を形成して東面の断熱空間３６を北面の断熱空間３６と連通させてもよい。そうすれば、建物１０において日当たりのよい南面以外の各面において外壁構造体１１ａ，１１ｂ，１１ｄの断熱性能を高めることができる。
【００８９】
また、東面の断熱空間３６をさらに集熱空間３０と連通させ、各断熱空間３６（三面の断熱空間３６）と集熱空間３０との連続空間を閉環状の空間としてもよい。図８にはかかる構成が図示されている。図８では、集熱空間３０を挟んで両側に断熱空間３６ａ，３６ｂが設けられており、集熱空間３０はそれら各断熱空間３６ａ，３６ｂにそれぞれ連通されている。ここで、集熱空間３０と西面の断熱空間３６ａとの間にはそれら両空間３０，３６ａの連通を遮断する第１遮断部材３８ａが設けられ、この第１遮断部材３８ａは遮断用駆動部３９ａによって連通状態（図８の実線）と遮断状態（図８の一点鎖線）とに切り替えられるものとなっている。また、集熱空間３０と東面の断熱空間３６ｂとの間にはそれら両空間３０，３６ｂの連通を遮断する第２遮断部材３８ｂが設けられ、この第２遮断部材３８ｂは遮断用駆動部３９ｂによって連通状態（図８の実線）と遮断状態（図８の一点鎖線）とに切り替えられるものとなっている。したがって、本例においては、これら各遮断部材３８ａ，３８ｂにより、集熱空間３０を各断熱空間３６のうちいずれと連通させるかを切り替えられるようになっている。
【００９０】
かかる構成によれば、第１遮断部材３８ａを連通状態とし、第２遮断部材３８ｂを遮断状態とすることにより、集熱空間３０で暖められた空気（暖気）を西面の断熱空間３６ａに供給できる一方、第１遮断部材３８ａを遮断状態とし、第２遮断部材３８ｂを連通状態とすることにより、集熱空間３０の暖気を東面の断熱空間３６ｂに供給できる。したがって、例えば朝方の時間帯等、建物１０の東面に太陽光が照射されている場合には、西面の断熱空間３６ａに暖気を供給して、日陰となる西面の外壁構造体１１ｂの断熱性能を高めることができる。また、夕方の時間帯等、建物１０の西面に太陽光が照射されている場合には、東面の断熱空間３６ｂに暖気を供給して、日陰となる東面の外壁構造体１１ｄの断熱性能を高めることができる。つまり、この場合、太陽光の日射向き（日射角度）に応じて暖気の供給先を切り替えることで、外壁構造体１１ａ，１１ｂ，１１ｄの断熱性能を好適に高めることができる。
【００９１】
また、上記の構成において、建物１０に、太陽光の日射向きを検知する日射センサ８１を設け、同センサ８１により検知された日射向きに基づいて、各断熱空間３６ａ，３６ｂのうちいずれに集熱空間３０の空気を供給するかを切り替えてもよい。すなわち、コントローラ８０には日射センサ８１から逐次検知結果が入力され、コントローラ８０はその検知結果に基づき、各遮断用駆動部３９ａ，３９ｂを駆動制御する。具体的には、日射センサ８１により日射向きが東向きであることが検知された場合には、第１遮断部材３８ａを連通状態、第２遮断部材３８ｂを遮断状態とし、日射センサ８１により日射向きが西向きであることが検知された場合には、第１遮断部材３８ａを遮断状態、第２遮断部材３８ｂを連通状態とするよう各遮断用駆動部３９ａ，３９ｂを制御する。この場合、日射向きに応じて集熱空間３０の暖気の供給先が自動で切り替えられるため、上述の効果を得る上で利便性を高めることができる。
【００９２】
（３）建物１０において西面には断熱空間３６を形成せず、北面のみに断熱空間３６を形成してもよい。この場合、北面の断熱空間３６と南面の集熱空間３０とを例えば通気ダクト等の通路部材を介して連通させることが考えられる。例えば、かかる通気ダクトを西面の外壁構造体１１ｂの屋外側面において南北に延びるように配設することが考えられる。
【００９３】
（４）上記実施形態では、集熱空間３０と断熱空間３６との連続空間（以下、単に連続空間ともいう）に取込口３１より屋外の空気を取り込み、その取り込んだ空気を連続空間において流通させ、その後同空気を排気通路４６及び各給気通路４１，４３のうちいずれかを通じて連続空間外部に放出する構成としたが、これを変更してもよい。例えば、集熱空間３０と断熱空間３６との連続空間を密閉空間とし、その密閉空間内で集熱空間３０と断熱空間３６との間で空気の流通を行わせるようにしてもよい。この場合、上記連続空間において外気の出入りがない状態で空気の流通が行われるため、同空間内の空気の温度を高い状態に保持し易い。そのため、断熱空間３６の温度を上記実施形態と比べ高い温度にすることができ、その結果外壁構造体１１ａ，１１ｂの断熱効果を高めることができる。
【００９４】
（５）図９に示すように、集熱空間３０と空調装置１９とを接続する通気ダクト９１を設け、集熱空間３０において暖められた空気を通気ダクト９１を通じて空調装置１９に供給可能としてもよい。そうすれば、集熱空間３０から空調装置１９に供給された暖気を、空調装置１９により各通気ダクト２４を通じて各吹出グリル２５に供給できるため、かかる暖気によって複数の部屋１３〜１５の暖房を行うことが可能となる。つまり、かかる構成では、建物１０において共通の空調装置１９を用いて複数の部屋１３〜１５の空調を行う空調システムが導入されており、このシステムを用いて集熱空間３０の暖気を各部屋１３〜１５に供給するようにしているため、通気ダクト９１を設ける等の比較的簡単な作業を行うだけで上記の効果を実現できる。
【００９５】
また、かかる構成において、集熱空間３０からの暖気と空調装置１９により生成された暖気とを合わせ、その合わせた暖気（以下、合わせ暖気ともいう）を空調装置１９を用いて各部屋１３〜１５に供給するようにしてもよい。こうすることで、空調装置１９により生成された暖気により暖めを補うことができるため、好適な暖房を行うことができる。
【００９６】
部屋１３〜１５の温度に基づいて、空調装置１９により生成される暖気の温度を調整し、これによって合わせ空気の温度を調整するようにしてもよい。例えば、脱衣室温度センサ７６により検知された脱衣室１５の温度に基づき、空調装置１９により生成される暖気の温度を調整することが考えられる。これにより、脱衣室１５の温度が所定の目標温度に達していない場合には空調装置１９により生成される暖気の温度を上げて、脱衣室１５の暖房効果を高める等の調整が可能となる。
【００９７】
（６）上記実施形態では、昼間暖房処理において、脱衣室１５よりも第二居室１４に優先して断熱空間３６の空気（暖気）を供給するようにしたが、この優先順位を逆にして、第二居室１４よりも脱衣室１５に優先して断熱空間３６の空気を供給するようにしてもよい。そうすれば、昼間の間に脱衣室１５（及び浴室１６）を断熱空間３６の暖気によってある程度暖めておくことができる。
【００９８】
また、建物１０においてトイレが北面の外壁構造体１１ａ又は西面の外壁構造体１１ｂに隣接して設けられている場合には、トイレと断熱空間３６とを連通する連通路を設け、その連通路を通じて断熱空間３６の空気（暖気）をトイレに供給できるようにしてもよい。また、この場合、断熱空間３６の空気を脱衣室１５及びトイレに供給する構成において、脱衣室１５を第１優先、トイレを第２優先として供給を行うようにしてもよい。
【００９９】
（７）上記実施形態の構成において、建物１０の天井部において天井を形成する天井面材の上方に、同天井面材と対向するように断熱パネルを設け、天井面材と断熱パネルとの間に断熱空間を形成してもよい。そして、かかる天井側の断熱空間を集熱空間３０と（断熱空間３６を介して又は断熱空間３６を介さないで）連通させて、集熱空間３０で暖められた空気を天井側の断熱空間に供給できるようにしてもよい。そうすれば、天井側の断熱空間に供給される暖気によって天井部の断熱性能を高めることができる。その結果、暖房負荷のより一層の低減を図ることが可能となる。
【０１００】
（８）上記実施形態では、建物１０において南面の外壁構造体１１ｃにのみ集熱パネル２８を設けたが、これを変更してもよい。例えば、西面の外壁構造体１１ｂにおける断熱パネル３３に代えて集熱パネル２８を設け、建物１０において南面と西面とにそれぞれ集熱空間３０を形成してもよい。この場合、太陽熱の集熱能力を高めることができるため、北面の外壁構造体１１ａについて断熱性能をより一層高めることができる。
【０１０１】
また、集熱パネル２８を建物１０における屋根の屋外側に設け、屋根（屋根面）と集熱パネル２８との間に集熱空間３０を形成してもよい。この場合においても、集熱空間３０を断熱空間３６と連通させることで、集熱空間３０にて暖められた空気を断熱空間３６に供給することができる。
【０１０２】
（９）浴室１６に換気装置（例えば２４時間換気装置）を設置してもよい。そうすれば、断熱空間３６から脱衣室１５に供給された暖気を開閉扉２２のガラリを通じて浴室１６に取り込みやすくすることができ、浴室１６におけるヒートショックの抑制を好適に図ることが可能となる。
【０１０３】
（１０）脱衣室温度センサ７６により検知された脱衣室１５の温度が１０℃以下である場合において、脱衣室１５と第二居室１４との温度差が５℃以下となるように、第二居室１４及び脱衣室１５に対する吹出グリル２５からの空調空気（暖気）の吹き出しを通気ガラリ２６により制御してもよい。そうすれば、脱衣室１５の低温時においてヒートショックが生じるのを抑制することができる。
【符号の説明】
【０１０４】
１０…建物、１１ａ，１１ｂ…第２外壁としての外壁構造体、１１ｃ…第１外壁としての外壁構造体、１４…屋内空間としての第二居室、１５…屋内空間としての脱衣室、２０…外壁断熱装置、２８…集熱パネル、３０…集熱空間、３２…取込ファン、３３…断熱パネル、３６…断熱空間、３８…遮断手段としての遮断部材、４１…給気通路としての居室側給気通路、４３…給気通路としての脱衣室側給気通路、５６…壁内断熱材、６２…通路開閉部材としての開閉板、６６…通路開閉部材としての開閉板、７５…屋内温度検知手段としての居室温度センサ、７６…屋内温度検知手段としての脱衣室温度センサ、７７…断熱空間温度検知手段としての断熱空間温度センサ、８０…開閉制御手段としてのコントローラ。
【図１】
2013002066.tif 000003
【図２】
2013002066.tif 000004
【図３】
2013002066.tif 000005
【図４】
2013002066.tif 000006
【図５】
2013002066.tif 000007
【図６】
2013002066.tif 000008
【図７】
2013002066.tif 000009
【図８】
2013002066.tif 000010
【図９】
2013002066.tif 000011